(57)【要約】      （修正有）【課題】ＵＳＢ機器を簡単に携帯でき、内蔵しているＵＳＢ延長ケーブルを経由することにより、収納しているＵＳＢ機器を簡単に電子機器に接続できる上、収納しているＵＳＢ機器を取り出す必要もないため、紛失事故を防止出来る携帯式ＵＳＢ機器ホルダを提供する。【解決手段】本体内にＵＳＢ延長ケーブルを内蔵し、その延長ケーブル一端を収納しているＵＳＢ機器と接続する。使用する際には、内蔵している延長ケーブルの一部を本体内から取り出し、ＵＳＢ延長ケーブルの他端を電子機器に接続することで、電子機器から離れた場所に本体を置いたまま、収納しているＵＳＢ機器を本体から取り出すことなく電子機器に接続できる。また、延長ケーブルのかわりにＵＳＢ分配ケーブルやＵＳＢハブを使用すれば、複数のＵＳＢ機器を一度に電子機器に接続させることも可能である。【選択図】図１
0003138635.tif 000002
【実用新案登録請求の範囲】
【請求項１】
ＵＳＢ延長ケーブルを内蔵するスペースと、ＵＳＢ機器を収納するためのスペースとを有し、内蔵しているＵＳＢ延長ケーブルの一端は収納されたＵＳＢ機器に接続され、ＵＳＢ延長ケーブルの他端を電子機器に接続することで、本体を電子機器から離れたところに置いたまま、収納しているＵＳＢ機器を電子機器に接続できることを特徴とする携帯式ＵＳＢ機器ホルダ。
【請求項２】
ＵＳＢ延長ケーブルの代わりに、ＵＳＢ分配ケーブル又はＵＳＢハブを内蔵することにより、同時に複数のＵＳＢ機器を電子機器に接続出来ることを特徴とする請求項１記載の携帯式ＵＳＢ機器ホルダ。
【請求項３】
本体に、ＵＳＢ延長ケーブルのキャップを有することで、携帯時にＵＳＢ延長ケーブルの端子を固定できることを特徴とする、請求項１又または２記載の携帯式ＵＳＢ機器ホルダ。
【請求項４】
キーホルダとして鍵を保持するための器具を有することを特徴とする請求項１〜３記載の携帯式ＵＳＢ機器ホルダ。
【考案の詳細な説明】
【技術分野】
【０００１】  本考案は、本体内に延長ケーブルの機能を有することで、収納しているＵＳＢ機器を取り出すことなく、電子機器に接続する機能を持つ、ＵＳＢ機器を保持するための、携帯式ＵＳＢ機器ホルダに関するものである。
【背景技術】
【０００２】  ＵＳＢメモリ等のＵＳＢ機器は小さくて便利であるが、その小ささ故に管理が難しく、ストラップや、ＵＳＢホルダ等を使うことにより、紛失等の事故を回避する必要性があった。従来のＵＳＢホルダは単数又は複数のＵＳＢ機器を保持する機能しかなく、ＵＳＢ機器は直接電子機器に接続するため、ＵＳＢホルダにＵＳＢ機器を接続したまま使用すると、接続された電子機器のＵＳＢポート周辺はＵＳＢホルダや他のＵＳＢ機器が散乱し、非常に不便であった。また、保持しているＵＳＢ機器を同時に接続できる機能を有しているものも無かった。また、ＵＳＢ機器のキャップも紛失しやすく、その管理が困難であった。【０００３】  紛失防止の観点から、公知の技術では、筆記具にＵＳＢメモリを内蔵する筆記具付きＵＳＢ接続記憶装置があるが、これは携帯する際には、筆箱等の別のケースに収納する必要があり、不便であった。また、同時に複数のＵＳＢ機器を接続する機能も持っていない。
【特許文献１】  特開２００４−１５８０２６公報
【考案の開示】
【考案が解決しようとする課題】
【０００４】  このような状況を鑑みて、本校案はＵＳＢ機器を簡単に携帯でき、携帯式ＵＳＢホルダ本体を電子機器から離れたところに置いたまま、本体に内蔵しているＵＳＢ延長ケーブルを経由して、収納しているＵＳＢ機器を取り出すことなく、電子機器に接続する接続できるので、接続も容易で、ＵＳＢ機器を紛失する事故を回避でき、また複数のＵＳＢ機器を接続する場合には、ＵＳＢ延長ケーブルの代わりに、ＵＳＢハブかＵＳＢ分配ケーブルを内蔵することで、同時に複数のＵＳＢ機器を接続させることを可能にする、携帯式ＵＳＢホルダを提供するものである。
【解決する手段】
【０００５】  本体内にＵＳＢ延長ケーブルを内蔵するスペースと、ＵＳＢ機器を収納するためのスペースとを有し、内蔵しているＵＳＢ延長ケーブルの一端は収納しているＵＳＢ機器に接続し、ＵＳＢ延長ケーブルの他端を電子機器に接続することで、収納しているＵＳＢ機器を本体から取り出すことなく、本体を電子機器から離れたところに置いたまま、電子機器に接続できる。一度ＵＳＢ機器を収納すれば、取り出す必要がなくなり、紛失事故を回避できる。
【０００６】  ＵＳＢ延長ケーブルのかわりに、単数のＵＳＢポートをＵＳＢ複数のＵＳＢポートに分割する機能を有する分配ケーブルやＵＳＢハブを使用すれば、収納している複数のＵＳＢ機器を同時に電子機器に接続させることも可能である。
【０００７】  ＵＳＢ延長ケーブル内蔵スペースの内側又は外側に、ＵＳＢ延長ケーブルの端子を固定するためのキャップをワイヤーで取り付けることで、携帯時にＵＳＢ延長ケーブルの端子を固定できるだけでなく、キャップの紛失も回避できる。
【０００８】  さらに、キーホルダの機能を付加すれば、鍵やストラップを接続することが可能になり、携帯する際には便利である。
【考案の効果】
【０００９】  上述のように、本校案は、簡単にＵＳＢ機器を簡単に収納でき、携帯にも便利なだけでなく、使用する際には、収納しているＵＳＢ機器を取り出すことなく電子機器に接続できるので、ＵＳＢ機器を紛失する事故を回避できる携帯式ＵＳＢホルダを提供するものである。電子機器に接続する際にも、延長ケーブルを経由して、電子機器から離れたところに本体を置くことがきるので、電子機器のＵＳＢポート周辺の邪魔にならない。延長ケーブルの代わりに、ＵＳＢハブやＵＳＢ分配ケーブルを使えば、収納している複数のＵＳＢ機器に同時に接続できることが可能となり、複数のＵＳＢ機器を抜き差しする必要もなくなる。なお、ＵＳＢ延長ケーブル内蔵スペースの内側又は外側に、ＵＳＢ延長ケーブルの端子を固定するキャップをワイヤーで取り付けることにより、簡単に端子を見つけることができるだけでなく、キャップの紛失も回避できる。さらに、キーホルダの機能を付加した場合には、鍵やストラップなどと一緒に管理できるようになり、携帯時に便利である。
【考案の最良の形態】
【００１０】次に、添付の図面に従って本考案を詳細に説明する。
【００１１】  図１は本校案に係る携帯式ＵＳＢホルダを電子機器に接続している一例を示す図、図２は本校案に係る一実施例である複数のＵＳＢ機器を収納するポーチ型のＵＳＢ機器ホルダの一例を示す図、図３は本校案に係る他の実施例である、単数のＵＳＢ機器を収納する財布型のＵＳＢ機器ホルダの一例を示す図、図４は本考案に係る他の実施例である、単数のＵＳＢ機器を収納するポシェット型の携帯式ＵＳＢホルダの一例を示す図である。
【００１２】  図１に示すように、ＵＳＢ延長ケーブル内蔵スペース２からＵＳＢ延長ケーブル３を取り出し、ＵＳＢ収納スペース２に収納しているＵＳＢ機器を取り出すことなく、本体を電子機器からはなれたところに置いたまま接続できる。
【００１３】  図２〜４に示すように、ＵＳＢ延長ケーブル内蔵スペース２にＵＳＢ延長ケーブル３を内蔵し、ＵＳＢ機器収納スペース１にＵＳＢ機器８を収納する。ＵＳＢ機器８にＵＳＢ延長ケーブル３の一端を接続し、携帯時には他端をＵＳＢ延長ケーブルの端子を固定するためのキャップ７に接続する。電子機器と接続する際には、ＵＳＢ延長ケーブル３をＵＳＢ延長ケーブルの端子を固定するためのキャップ７から外し、必要な長さを本体から取り出して接続する。
【００１４】  図２は、複数のＵＳＢ機器を収納するため、ＵＳＢ延長ケーブル内蔵スペース２には、ＵＳＢ分配ケーブル３を内蔵している。ＵＳＢ延長ケーブル内蔵スペース２及びＵＳＢ機器収納スペース１はファスナー６で開閉でき、３本のＵＳＢ機器８を収納し、電子機器と接続する際には、ファスナー６を開け、ＵＳＢ分配ケーブル３の延長ケーブルの部分を必要な長さだけ取り出し、接続する。ＵＳＢ延長ケーブル内蔵スペース２とＵＳＢ機器収納スペース１は連絡部１２にケーブルを通すことで、ＵＳＢ分配ケーブル３と収納しているＵＳＢ機器８を接続する。鍵を保持するための器具５はキーホルダとして利用できる他、ストラップ等を繋いでも、携帯に便利である。
【００１５】  図３はＵＳＢ機器収納スペース１とＵＳＢ延長ケーブル内蔵スペース２の間の連絡部１２にＵＳＢ延長ケーブルを通すことでＵＳＢ機器８とＵＳＢ延長ケーブル３を接続し、単数のＵＳＢ機器を収納する財布型携帯式ＵＳＢホルダである。小物入れスペース４を有し、財布としても利用可能である。
【００１６】  図４はポシェット型の単数のＵＳＢ機器を収納する携帯式ＵＳＢ機器ホルダで、小物入れスペース４を持つ。ＵＳＢ機器収納スペース１にＵＳＢ機器８を収納し、ＵＳＢ延長ケーブル内蔵スペース２とは、仕切り１１によって隔てられているが、ＵＳＢ延長ケーブルを保持する為のベルト９に導かれ、ＵＳＢ延長ケーブル３とＵＳＢ機器８を接続する。電子機器に接続する場合には、もう一方のＵＳＢ延長ケーブルを保持するベルト９に導かれたポシェットの端の部分から、ＵＳＢ延長ケーブルを取り出し接続する。
【００１７】  本考案に係る携帯式ＵＳＢホルダとしては、上記説明したポーチ、財布、ポシェットの型に限定されず、キーホルダ、小銭入れ、ブリーフケース、バッグ類等個人的所有に係る物品の型を含む。
【００１８】  本校案は、携帯式ＵＳＢホルダ専用のホルダだけを限定するものではなく、図４のように、バッグ、ブリーフケース、小物入れ等個人的所有物に係る物品の一部にＵＳＢ機器を収納する機能を有するものも含む。
【００１９】  上述したように、ＵＳＢ機器を収納するスペースとＵＳＢ延長ケーブルを内蔵するスペースを工夫することで、収納するＵＳＢ機器の数に合わせて、様々なサイズ、形の携帯式ＵＳＢホルダを柔軟に設計できる。また、ＵＳＢ分配ケーブルやＵＳＢハブに限らなくとも、ＵＳＢ延長ケーブルの機能を有する機器を内蔵することで、本校案の携帯式ＵＳＢ機器ホルダを作ることが可能である。
【図面の簡単な説明】
【００２０】
【図１】  本考案に係る携帯式ＵＳＢ機器ホルダを電子機器に接続している一例を示している斜視図である。
【図２】  （ａ）は本考案に係るＵＳＢ機器ホルダの一実施例のポーチ型の一例を示す斜視図であり、（ｂ）は（ａ）を折りたたんだ状態の斜視図、（ｃ）は（ａ）の正面断面図である。
【図３】  （ａ）は本考案に係るＵＳＢ機器ホルダの他の実施例である、財布型の一例を示す斜視図であり、（ｂ）は（ａ）を折りたたんだ状態の斜視図、（ｃ）は（ａ）の正面断面図である。どれも、延長ケーブルの一部を取り出した状態を示している。
【図４】  （ａ）は本考案に係るＵＳＢ機器ホルダの他の実施例である、ポシェット型の一例を示す斜視図であり、（ｂ）は（ａ）のフタの部分を開けた状態の斜視図、（ｃ）は（ａ）のＵＳＢ機器収納スペース１およびＵＳＢ延長ケーブル内蔵スペース２の正面断面図である。どれも、延長ケーブルの一部を取り出した状態を示している。
【符号の説明】
【００２１】１  ＵＳＢ機器収納スペース
２  延長ケーブル内蔵スペース
３  ＵＳＢ延長ケーブル又はＵＳＢハブ又はＵＳＢ分配ケーブル
４  小物入れスペース
５  鍵を保持するための器具
６  ファスナー
７  ＵＳＢ延長ケーブルの端子を固定するためのキャップ
８  収納しているＵＳＢ機器
９  ＵＳＢ延長ケーブルを保持するためのベルト
１０  肩掛けベルト
１１  仕切り
１２  連絡部
【図１】
0003138635.tif 000003
【図２】
0003138635.tif 000004
【図３】
0003138635.tif 000005
【図４】
0003138635.tif 000006